(57)【要約】【課題】殺菌領域を大きくする配光分布を持たせることができて、殺菌効果を高くすることができる殺菌灯器具を提供することにある。【解決手段】殺菌用に用いられるランプ（１）、および、このランプ（１）を収納するとともに、同ランプ（１）からの光を斜め上方に照射するように開口部（１５）を片側側面に設けた略箱状の器具本体（２）を有する殺菌灯器具であって、上記器具本体（２）の内部に上記開口部（１５）上端から上記ランプ（１）の後方近傍まで同ランプ（１）から照射される光を最低５°の角度で上方へ反射させる外形略パラボラ形状の反射板（３）を設けるとともに、上記ランプ（１）の最上点以上の高さまで立ち上げ、上記開口部（１５）下端を形成する遮光板（４）を設けた。【選択図】    図１
2004319323.tif 000002
【特許請求の範囲】
【請求項１】
殺菌用に用いられるランプ、および、このランプを収納するとともに、同ランプからの光を斜め上方に照射するように開口部を片側側面に設けた略箱状の器具本体を有する殺菌灯器具であって、上記器具本体の内部に上記開口部上端から上記ランプの後方近傍まで同ランプから照射される光を最低５°の角度で上方へ反射させる外形略パラボラ形状の反射板を設けるとともに、上記ランプの最上点以上の高さまで立ち上げ、上記開口部下端を形成する遮光板を設けたことを特徴とする殺菌灯器具。
【請求項２】
上記反射板のうち、上記ランプの近傍部分を上記開口部に対してさらに奥まった位置に配置させたことを特徴とする請求項１記載の殺菌灯器具。
【請求項３】
上記開口部下端から上記ランプ近傍までの同ランプから照射される光を最大３０°の角度で上方へ反射させる外形略パラボラ形状の反射板部を上記遮光板から延出させたことを特徴とする請求項１または請求項２記載の殺菌灯器具。
【請求項４】
上記開口部に対して、上記ランプの裏側となる部分に同ランプから照射される光を反射させて、同ランプに戻す同ランプと同心円状の反射部を形成したことを特徴とする請求項１ないし請求項３いずれか記載の殺菌灯器具。
【請求項５】
上記開口部に対して、上記ランプの裏側となる部分に開口された裏開口部を設けるとともに、この裏開口部から延出するように同ランプから照射される光を上記開口部とは逆方向へ反射させる外形略パラボラ形状の反射体を設けたことを特徴とする請求項１ないし請求項４いずれか記載の殺菌灯器具。
【発明の詳細な説明】
【０００１】
【発明の属する技術分野】
本発明は、殺菌灯器具に関し、具体的には、建物の室内の空気を殺菌するのに有用な殺菌灯器具に関するものである。
【０００２】
【従来の技術】
従来の殺菌灯器具としては、例えば、下記の特許文献１に示されている実開昭６１−１７１９３５号公報のようなものが知られていた。具体的には、壁面（１２）に取着され室内の空気を殺菌する殺菌灯器具において、図１６に示すごとき殺菌灯であるランプ（１）の発する紫外線を前方に反射するように開口部（１５）を形成しているとともに、図１４および図１５に示すごとく、同ランプ（１）の背面に配設された反射板（３）と、上端縁（４ａ）の高さをランプ（１）の上端高さより高くしてランプ（１）より照射されあるいは上記反射板（３）にて反射される紫外線が下方に照射されないようにランプ（１）の前方に立設され紫外線を遮光する遮光板（４）とを備え、反射板（３）の上端下縁（３ａ）と遮光板（４）の上端縁（４ａ）との開口部（１５）の幅（ｌ１）をランプ（１）を交換可能な幅としてなっているものであった。
【０００３】
そして、図１４および図１５に示すごとく、ランプ（１）を点灯するための安定器（１４）などの点灯回路を内蔵した取付本体（１１）の前面パネルと遮光板（４）とを一体とし、この取付本体（１１）の上面に配設してある取付板（１１ｂ）にはランプ（１）を取り付けるためのソケット（１３）を配設し、このランプ（１）の背面を覆う反射板（３）を取り付け、上記各部の側面を取付本体（１１）のエンドパネル（１１ａ）にて被着しているものである。また、取付本体（１１）の幅を（Ｌ）、ランプ（１）の中心（Ｏ）から遮光板（４）の上端縁（４ａ）までの距離を（ｌ２）、遮光板（４）とランプ（１）の中心（Ｏ）までの距離を（ｌ３）とすると、ランプ（１）の中心（Ｏ）から遮光板（４）の上端縁（４ａ）までの距離（ｌ２）をどのように選択するかでランプ（１）を交換可能で器具効率や殺菌効率をある程度確保しているものであり、その結果、取付本体（１１）の幅（Ｌ）などを広くする必要がなく、外観上および機能上で有効なものであった。
【０００４】
また、他の従来の殺菌灯器具として、例えば、図１９に示すごとく、殺菌用に用いられるランプ（１）、このランプ（１）の背面に配置された反射板（３）、同ランプ（１）の前面を覆うように配置された遮光板（４）、および、同ランプ（１）や上記反射板（３）や上記遮光板（４）を収納するとともに、同ランプ（１）からの光を斜め上方に照射するように開口部（１５）を片側側面に設けた略箱状の器具本体（２）を有していたものも知られていた。このような略箱状の器具本体（２）は、図１７に示すごとく、壁面（１２）に取り付けられたり、図１８に示すごとく、壁面（１２）に埋め込まれたりしているものであった。そして、このような殺菌灯器具において、配光に寄与している部分は、図２０に示すごとく、上記ランプ（１）の背面に配置された反射板（３）、および、同ランプ（１）の前面を覆うように配置された遮光板（４）であり、この遮光板（４）にてランプ（１）の直射を遮光し、反射板（３）による間接光のみを図２２に示すように外部へ照射しているものであった。このような場合の配光分布としては、図２１に示すようになっているものであって、この結果から、全体的に照射される殺菌線量が少ないと同時に、天井面に対して深い角度で照射する配光分布となっていたものであった。
【０００５】
さらに他の従来の殺菌灯器具として、例えば、図２３および図２４に示すごとく、吊り具（９）にて天井（１０）より吊り下げられる殺菌灯器具であって、殺菌用に用いられるランプ（１）、このランプ（１）の上面に配置された上反射板（１７）、同ランプ（１）の下面に配置された下反射板（１６）、および、同ランプ（１）からの光を斜め上方に照射するように上記上反射板（１７）と上記下反射板（１６）との間の両側方に向けて形成された開口部（１５）を設け、このようなランプ（１）や上記上反射板（１７）と上記下反射板（１６）などを内蔵した器具本体（２）を有していたものも知られていた。そして、このような殺菌灯器具において、配光に寄与している部分は、図２５に示すごとく、上記ランプ（１）の上面に配置された上反射板（１７）、および、同ランプ（１）の下面に配置された下反射板（１６）であり、このような上反射板（１７）と下反射板（１６）とでランプ（１）の直射を遮光し、間接光のみを図２６に示すように外部へ照射しているものであった。このような場合の配光分布としては、図２７に示すようになっているものであって、両側方に均一に照射される配光分布となっていたものであった。
【０００６】
【特許文献１】
実開昭６１−１７１９３５号公報
【０００７】
【発明が解決しようとする課題】
しかしながら、この従来の照明器具においては、下記の特許文献１に示されている実開昭６１−１７１９３５号公報のような図１４ないし図１６に示す場合や図１７ないし図２２に示す場合のいずれも、略箱状の器具本体（２）の上方へ光を照射し、天井面までの空間で空気殺菌を行うために、例えば、図２２のように上方深い角度で光を照射すると、殺菌領域を小さくする配光分布を持たせることになると同時に、殺菌効果が低くなる問題があった。そして、天井面で反射する殺菌線量が増加して下方にいる人に影響が及びやすくなるために、人体に不要な殺菌線を浴びせるおそれもあった。
【０００８】
また、図２３ないし図２７に示す場合においては、上反射板（１７）と下反射板（１６）との間の両側方に向けて形成された開口部（１５）を狭くして、天井面に上方深い角度で照射する光をなくしているが、配光の角度幅は狭く、２０°以下の浅い角度の配光分布は小さくなっているものであり、その結果、殺菌線量としては、２０°以下の浅い角度の空間を殺菌するに値するだけの量が得られないものであり、殺菌領域を小さくすることになっていたものであった。
【０００９】
本発明は、上述の問題を解決するためになされたものであって、その目的とするところは、殺菌領域を大きくする配光分布を持たせることができて、殺菌効果を高くすることができる殺菌灯器具を提供するものである。
【００１０】
【課題を解決するための手段】
本発明の請求項１に係る殺菌灯器具は、殺菌用に用いられるランプ（１）、および、このランプ（１）を収納するとともに、同ランプ（１）からの光を斜め上方に照射するように開口部（１５）を片側側面に設けた略箱状の器具本体（２）を有する殺菌灯器具であって、上記器具本体（２）の内部に上記開口部（１５）上端から上記ランプ（１）の後方近傍まで同ランプ（１）から照射される光を最低５°の角度で上方へ反射させる外形略パラボラ形状の反射板（３）を設けるとともに、上記ランプ（１）の最上点以上の高さまで立ち上げ、上記開口部（１５）下端を形成する遮光板（４）を設けたことを特徴とする。
【００１１】
本発明の請求項２に係る殺菌灯器具は、上記反射板（３）のうち、上記ランプ（１）の近傍部分を上記開口部（１５）に対してさらに奥まった位置に配置させたことを特徴とする。
【００１２】
本発明の請求項３に係る殺菌灯器具は、上記開口部（１５）下端から上記ランプ（１）近傍までの同ランプ（１）から照射される光を最大３０°の角度で上方へ反射させる外形略パラボラ形状の反射板部（５）を上記遮光板（４）から延出させたことを特徴とする。
【００１３】
本発明の請求項４に係る殺菌灯器具は、上記開口部（１５）に対して、上記ランプ（１）の裏側となる部分に同ランプ（１）から照射される光を反射させて、同ランプ（１）に戻す同ランプ（１）と同心円状の反射部（６）を形成したことを特徴とする。
【００１４】
本発明の請求項５に係る殺菌灯器具は、上記開口部（１５）に対して、上記ランプ（１）の裏側となる部分に開口された裏開口部（８）を設けるとともに、この裏開口部（８）から延出するように同ランプ（１）から照射される光を上記開口部（１５）とは逆方向へ反射させる外形略パラボラ形状の反射体（７）を設けたことを特徴とする。
【００１５】
【発明の実施の形態】
以下、本発明を実施形態に係る図面に基づいて詳しく説明する。
【００１６】
図１は、本発明の一実施形態に係る殺菌灯器具の全体を示した断面図である。図２は、本発明の一実施形態に係る殺菌灯器具の全体を示した斜視図である。図３は、本発明の第１の実施形態に係る殺菌灯器具を示した要部のみの断面図である。図４は、本発明の第１の実施形態に係る殺菌灯器具において、配光分布を示したグラフ図である。図５は、本発明の一実施形態に係る殺菌灯器具が取り付けられて、ランプが照射されている様子を示した断面図である。図６は、本発明の第２の実施形態に係る殺菌灯器具を示した要部のみの断面図である。図７は、本発明の第２の実施形態に係る殺菌灯器具において、配光分布を示したグラフ図である。図８は、本発明の第３の実施形態に係る殺菌灯器具を示した要部のみの断面図である。図９は、本発明の第３の実施形態に係る殺菌灯器具において、配光分布を示したグラフ図である。図１０は、本発明の第４の実施形態に係る殺菌灯器具を示した要部のみの断面図である。図１１は、本発明の第４の実施形態に係る殺菌灯器具において、配光分布を示したグラフ図である。図１２は、本発明の第５の実施形態に係る殺菌灯器具を示した要部のみの断面図である。図１３は、本発明の第５の実施形態に係る殺菌灯器具において、配光分布を示したグラフ図である。
【００１７】
本発明の殺菌灯器具は、図１ないし図１３に示すごとく、殺菌用に用いられるランプ（１）、および、このランプ（１）を収納するとともに、同ランプ（１）からの光を斜め上方に照射するように開口部（１５）を片側側面に設けた略箱状の器具本体（２）を有する殺菌灯器具であって、上記器具本体（２）の内部に上記開口部（１５）上端から上記ランプ（１）の後方近傍まで同ランプ（１）から照射される光を最低５°の角度で上方へ反射させる外形略パラボラ形状の反射板（３）を設けるとともに、上記ランプ（１）の最上点以上の高さまで立ち上げ、上記開口部（１５）下端を形成する遮光板（４）を設けているものである。
【００１８】
上記ランプ（１）としては、殺菌用に用いられるものである。このランプ（１）としては、例えば、図１ないし図３に示すごとき蛍光灯が用いられるものであるが、その他豆電球タイプの形状のものなどが用いられたとしてもかまわないものである。そして、このランプは、ソケット台のソケット部分に取り付けられているものである。
【００１９】
上記器具本体（２）は、図２に示すごとく、略箱状のものであって、上記ランプ（１）を収納しているものである。この器具本体（２）は、上記ランプ（１）からの光を斜め上方に照射するように開口部（１５）を片側側面に設けているものである。この器具本体（２）の上部には、取付バー（９）が設けられており、この取付バー（９）を介して天井（１０）から吊り下げられるようになっているものである。なお、本実施形態においては、天井（１０）から吊り下げられるタイプのものであるが、その他にも、壁に直付けするタイプのものや壁に埋め込むタイプのものであってもかまわないものである。
【００２０】
上記反射板（３）は、図１ないし図３、図５に示すごとく、上記器具本体（２）の内部に設けられているものであって、外形略パラボラ形状のものである。この反射板（３）は、上記開口部（１５）上端から上記ランプ（１）の後方近傍まで上記ランプ（１）から照射される光を最低５°の角度で上方へ反射させるものである。この反射板（３）の表面は、塗料などが塗装されているものであり、同反射板（３）の材質としては、上記ランプ（１）からの光を反射させることができるものであれば、様々な材質のものを自由自在に設定して使用することができるものである。ランプ（１）から天井面に向けて深い角度で照射される光をこのようなランプ（１）から照射される光を最低５°の角度で上方へ反射させる反射板（３）により、浅い角度に反射されるものとなり、角度が小さくなるにつれて、殺菌線量が多くなる配光分布を得ることができて、結果として、殺菌領域を大きくすることができるものである。
【００２１】
なお、上記遮光板（４）は、図１ないし図３、図５および図６に示すごとく、上記ランプ（１）の最上点以上の高さまで立ち上げて設けられているものである。この遮光板（４）は、上記開口部（１５）下端を形成しているものである。この遮光板（４）の表面は、例えば、上記反射板（３）と同様に、塗料などが塗装されていてもかまわないものであり、同遮光板（４）の材質としては、上記ランプ（１）からの光を遮光させることができるものであれば、様々な材質のものを自由自在に設定して使用することができるものである。
【００２２】
本発明は、このような構成をとることによって、遮光板（４）にてランプ（１）の最上点未満の高さから照射される光を遮光しながら、ランプ（１）から天井面に向けて深い角度で照射される光をこのようなランプ（１）から照射される光を最低５°の角度で上方へ反射させる反射板（３）により、浅い角度に反射されるものとなり、角度が小さくなるにつれて、殺菌線量が多くなる配光分布を得ることができて、結果として、殺菌領域を大きくすることができるものである。
【００２３】
すなわち、本発明は、殺菌領域を大きくする配光分布を持たせることができて、殺菌効果を高くすることができるものである。
【００２４】
また、図１、図６、図８、図１０および図１２に示すごとく、上記反射板（３）のうち、上記ランプ（１）の近傍部分を上記開口部（１５）に対してさらに奥まった位置に配置させているものであると、開口部（１５）に対してランプ（１）の裏側となる部分が減少して、より多くの光を反射板（３）で反射して、器具本体（２）の外へ照射することができ、確実に効率的な配光分布を得ることができるものとなる。
【００２５】
さらに、図１、図８、図１０および図１２に示すごとく、上記開口部（１５）下端から上記ランプ（１）近傍までの同ランプ（１）から照射される光を最大３０°の角度で上方へ反射させる外形略パラボラ形状の反射板部（５）を上記遮光板（４）から延出させているものであると、ランプ（１）から下方へ延びる光を反射させて、浅い角度で上方へ照射させることができるものとなり、確実に効率的な配光分布を得ることができるものとなる。
【００２６】
そして、図１、図３、図６、図８、図１０および図１２に示すごとく、上記開口部（１５）に対して、上記ランプ（１）の裏側となる部分に同ランプ（１）から照射される光を反射させて、同ランプ（１）に戻す同ランプ（１）と同心円状の反射部（６）を形成しているものであると、ランプ（１）の裏側となる部分に照射された光を同心円状の反射部（６）にて反射させて、他方向への殺菌線量を増やすことで、より一層効率的な配光分布を得ることができるものとなる。
【００２７】
また、図１２に示すごとく、上記開口部（１５）に対して、上記ランプ（１）の裏側となる部分に開口された裏開口部（８）を設けるとともに、この裏開口部（８）から延出するように同ランプ（１）から照射される光を上記開口部（１５）とは逆方向へ反射させる外形略パラボラ形状の反射体（７）を設けているものであると、反射板（３）にてランプ（１）から照射される光を反射させながら、開口部（１５）とは逆方向へ反射させる外形略パラボラ形状の反射体（７）にて開口裏側となってしまう小空間の殺菌を含む広い範囲を殺菌することができて、より一層効率的な配光分布を得ることができるものとなる。
【００２８】
特に、図１２に示す場合は、上記反射板（３）のうち、上記ランプ（１）の近傍部分を上記開口部（１５）に対してさらに奥まった位置に配置させていて、反射板部（５）や同心円状の反射部（６）を設けており、さらに、裏開口部（８）から延出するように外形略パラボラ形状の反射体（７）を設けているために、裏開口部（８）側への照射を含めて、器具本体（２）の外へより一層多くの光を照射することができるものとなり、開口裏側となってしまう小空間の殺菌を含む広い範囲を殺菌することができて、その結果、殺菌領域を大きくする配光分布をより一層確実に持たせることができて、殺菌効果をより一層確実に高くすることができるものである。これは、器具効率の点から見ても、図１２に示す場合は、図１３に示すように器具効率５２．６２％になっており、その他のものよりも優れていることが明らかである。
【００２９】
具体的には、図１２に示す場合と比べて、同心円状の反射部（６）のみを設けて他のものを有していない図３に示す場合は、図４のように器具効率２５．７１％になっているものである。また、図１２に示す場合と比べて、同心円状の反射部（６）を設け、奥まった位置に配置させた反射板（３）部分を有しているような図６に示す場合は、図７のように器具効率２９．４５％になっているものである。そして、図１２に示す場合と比べて、裏開口部（８）から延出するように外形略パラボラ形状の反射体（７）のみを設けていない図８に示す場合は、図９のように器具効率３１．５６％になっているものである。さらに、図１２に示す場合と比べて、裏開口部（８）から延出するように外形略パラボラ形状の反射体（７）のみを設けていない図１０に示す場合は、図１１のように器具効率４５．７６％になっているものである。ところで、図８に示す場合と図１０に示す場合は、遮光板（４）の形状に違いがあり、図８に示すようにランプ（１）の近傍で遮光板（４）を直に立ち上げると、器具効率が低くなり、しかも、同図８に示す場合は、図９と図１１とを比べてわかるように配光分布も狭いことがいえるものである。
【００３０】
本発明に係る殺菌灯器具によると、図１ないし図１３に示すごとく、殺菌用に用いられるランプ（１）、および、このランプ（１）を収納するとともに、同ランプ（１）からの光を斜め上方に照射するように開口部（１５）を片側側面に設けた略箱状の器具本体（２）を有する殺菌灯器具であって、上記器具本体（２）の内部に上記開口部（１５）上端から上記ランプ（１）の後方近傍まで同ランプ（１）から照射される光を最低５°の角度で上方へ反射させる外形略パラボラ形状の反射板（３）を設けるとともに、上記ランプ（１）の最上点以上の高さまで立ち上げ、上記開口部（１５）下端を形成する遮光板（４）を設けたので、遮光板（４）にてランプ（１）の最上点未満の高さから照射される光を遮光しながら、ランプ（１）から天井面に向けて深い角度で照射される光をこのようなランプ（１）から照射される光を最低５°の角度で上方へ反射させる反射板（３）により、浅い角度に反射されるものとなり、角度が小さくなるにつれて、殺菌線量が多くなる配光分布を得ることができて、結果として、殺菌領域を大きくすることができるものである。
【００３１】
すなわち、本発明は、殺菌領域を大きくする配光分布を持たせることができて、殺菌効果を高くすることができるものである。
【００３２】
【発明の効果】
本発明の請求項１に係る殺菌灯器具によると、遮光板（４）にてランプ（１）の最上点未満の高さから照射される光を遮光しながら、ランプ（１）から天井面に向けて深い角度で照射される光をこのようなランプ（１）から照射される光を最低５°の角度で上方へ反射させる反射板（３）により、浅い角度に反射されるものとなり、角度が小さくなるにつれて、殺菌線量が多くなる配光分布を得ることができて、結果として、殺菌領域を大きくすることができるものである。
【００３３】
すなわち、本発明は、殺菌領域を大きくする配光分布を持たせることができて、殺菌効果を高くすることができるものである。
【００３４】
本発明の請求項２に係る殺菌灯器具によると、請求項１記載の場合に加えて、開口部（１５）に対してランプ（１）の裏側となる部分が減少して、より多くの光を反射板（３）で反射して、器具本体（２）の外へ照射することができ、確実に効率的な配光分布を得ることができるものとなる。
【００３５】
本発明の請求項３に係る殺菌灯器具によると、請求項１または請求項２記載の場合に加えて、ランプ（１）から下方へ延びる光を反射させて、浅い角度で上方へ照射させることができるものとなり、確実に効率的な配光分布を得ることができるものとなる。
【００３６】
本発明の請求項４に係る殺菌灯器具によると、請求項１ないし請求項３いずれか記載の場合に加えて、ランプ（１）の裏側となる部分に照射された光を同心円状の反射部（６）にて反射させて、他方向への殺菌線量を増やすことで、より一層効率的な配光分布を得ることができるものとなる。
【００３７】
本発明の請求項５に係る殺菌灯器具によると、請求項１ないし請求項４いずれか記載の場合に加えて、反射板（３）にてランプ（１）から照射される光を反射させながら、開口部（１５）とは逆方向へ反射させる外形略パラボラ形状の反射体（７）にて開口裏側となってしまう小空間の殺菌を含む広い範囲を殺菌することができて、より一層効率的な配光分布を得ることができるものとなる。
【図面の簡単な説明】
【図１】本発明の一実施形態に係る殺菌灯器具の全体を示した断面図である。
【図２】本発明の一実施形態に係る殺菌灯器具の全体を示した斜視図である。
【図３】本発明の第１の実施形態に係る殺菌灯器具を示した要部のみの断面図である。
【図４】本発明の第１の実施形態に係る殺菌灯器具において、配光分布を示したグラフ図である。
【図５】本発明の一実施形態に係る殺菌灯器具が取り付けられて、ランプが照射されている様子を示した断面図である。
【図６】本発明の第２の実施形態に係る殺菌灯器具を示した要部のみの断面図である。
【図７】本発明の第２の実施形態に係る殺菌灯器具において、配光分布を示したグラフ図である。
【図８】本発明の第３の実施形態に係る殺菌灯器具を示した要部のみの断面図である。
【図９】本発明の第３の実施形態に係る殺菌灯器具において、配光分布を示したグラフ図である。
【図１０】本発明の第４の実施形態に係る殺菌灯器具を示した要部のみの断面図である。
【図１１】本発明の第４の実施形態に係る殺菌灯器具において、配光分布を示したグラフ図である。
【図１２】本発明の第５の実施形態に係る殺菌灯器具を示した要部のみの断面図である。
【図１３】本発明の第５の実施形態に係る殺菌灯器具において、配光分布を示したグラフ図である。
【図１４】一従来例に係る殺菌灯器具の全体を示した斜視図である。
【図１５】一従来例に係る殺菌灯器具の全体を示した断面図である。
【図１６】一従来例に係る殺菌灯器具が取り付けられて、ランプが照射されている様子を示した断面図である。
【図１７】他の一従来例に係る殺菌灯器具が取り付けられている様子を示した斜視図である。
【図１８】さらに他の一従来例に係る殺菌灯器具が取り付けられている様子を示した斜視図である。
【図１９】図１７の殺菌灯器具の全体を示した断面図である。
【図２０】図１７の殺菌灯器具の要部のみを示した断面図である。
【図２１】図１７の殺菌灯器具において、配光分布を示したグラフ図である。
【図２２】図１７の殺菌灯器具が取り付けられて、ランプが照射されている様子を示した断面図である。
【図２３】図１７および図１８の殺菌灯器具とは別のさらに他の一従来例に係る殺菌灯器具が取り付けられている様子を示した斜視図である。
【図２４】図２３の殺菌灯器具の断面図である。
【図２５】図２３の殺菌灯器具の要部のみを示した断面図である。
【図２６】図２３の殺菌灯器具において、配光分布を示したグラフ図である。
【図２７】図２３の殺菌灯器具が取り付けられて、ランプが照射されている様子を示した断面図である。
【符号の説明】
１    ランプ
２    器具本体
３    反射板
４    遮光板
５    反射板部
６    反射部
７    反射体
８    裏開口部
１５  開口部
【図１】
2004319323.tif 000003
【図２】
2004319323.tif 000004
【図３】
2004319323.tif 000005
【図４】
2004319323.tif 000006
【図５】
2004319323.tif 000007
【図６】
2004319323.tif 000008
【図７】
2004319323.tif 000009
【図８】
2004319323.tif 000010
【図９】
2004319323.tif 000011
【図１０】
2004319323.tif 000012
【図１１】
2004319323.tif 000013
【図１２】
2004319323.tif 000014
【図１３】
2004319323.tif 000015
【図１４】
2004319323.tif 000016
【図１５】
2004319323.tif 000017
【図１６】
2004319323.tif 000018
【図１７】
2004319323.tif 000019
【図１８】
2004319323.tif 000020
【図１９】
2004319323.tif 000021
【図２０】
2004319323.tif 000022
【図２１】
2004319323.tif 000023
【図２２】
2004319323.tif 000024
【図２３】
2004319323.tif 000025
【図２４】
2004319323.tif 000026
【図２５】
2004319323.tif 000027
【図２６】
2004319323.tif 000028
【図２７】
2004319323.tif 000029